(57)【要約】【課題】従来のいす使用暖卓の布団は、布団を持ち上げていすに座り使用するもの　だったので、どうしてもいすと持ち上げた布団の間に隙間が出来て、そこから熱が外に逃げたり、外の冷たい空気が入ってしまい暖かさに欠けるので、より暖かく使用出来又汚れ易い部分の洗濯が簡単にできる布団で、布団を固定させるための特別な縫製がいらない布団が必要だった。【解決手段】その為、従来の布団や下がけ毛布等に足脚部を出し入れする切り込み口を付け、一辺は本体の布に付けたまま蓋のようにし足脚部をその口から出し入れし、着脱できる布団を蓋様部分に付け、太股全体を覆う事で放熱を防ぎ、体に密着させてより暖かく使用し、又、外すことで簡単に洗濯ができので清潔であり、布団を着脱出来る留め具で固定する事で、見た目もスッキリさせ特別な縫製のいらない布団となった。【選択図】図１
2004024567.tif 000002
【特許請求の範囲】
【請求項１】
いす使用暖卓用掛け布団あるいは下がけにおいて、足脚部を出し入れ出来る切り込み口を、適切な数だけ付け、切り込み口の一辺は、本体の布に繋がったままで蓋のようにし、その蓋に太股全体を覆える同素材の布団あるいは毛布等を適時取り外しが出来る留め具で取り付ける事で、切り込み口からの放熱を防ぐと共に、布団あるいは毛布が太股やおなかに密着するので暖かく使用でき、汚れ易いこの部分を取り外して簡単に洗濯が出来る特徴を持つ、いす使用暖卓用掛け布団あるいは下がけ。
【請求項２】
垂れ下がる布団の各面に、マジックテープ等の適時取り外せる留め具の一方を左右に二個それぞれ取り付け、そこに留め具のもう一方を両端に付けたゴム等の弾性体で、暖卓の脚を挟んで垂れ下がる隣合わせの二面を繋ぐ様に留める事で、固定させるための特別な縫製を省いて布団を固定し、切り込み部分の底部が弛まない様にすると共に切り込み口からの放熱を減小させ、留め具を外すと、寝ころんで脚を差し込んで使用できる事を特徴とする請求項１記載のいす使用暖卓用掛け布団あるいは下がけ。
【発明の詳細な説明】
【０００１】
【発明の属する技術分野】
本発明はいす使用暖卓用掛け布団あるいは下がけでより暖かく使用でき、省エネに役立つ布団
【０００２】
【従来の技術】
従来のいす使用暖卓のこたつ布団は、布団を持ち上げて使用するもので、ひだや襠が付いたものがある。また、ポッケトが付いた物等がある。しかし、人が座りこたつに入ると、足脚部に掛けた布団といすとの隙間からこたつの熱が外に放出され、暖かさに欠けた。又、冷たい空気が中に入り込み、ふくらはぎの部分は冷たくなる事があった。その為調節を最大にして使用する事が多く、省エネにも欠けるものだった。又、汚れやすい部分だけを洗濯できるものはなく、布団を固定する為に、その為の特別な縫製が必要だった。
【０００３】
【発明が解決しようとする課題】
従来のいす使用のこたつ布団では、布団を持ち上げて使用するので膝下からの放熱が大きく、暖かさに欠け省エネにも欠けるものだった。その為放熱を来るだけ減らし外からの冷気も入らないで暖かく使用出来て、汚れ易い部分だけが簡単に洗濯出来るような暖卓用布団で、普段はスッキリまとまり、寝ころんで使用する時は、十分に広げる事ができる暖卓用布団あるいは下がけを提供すること。
【０００４】
【課題を解決するための手段】
上記課題の為に床に余裕をもって垂れ下がる布団又は下がけ等に、足脚部を差し込める切り込み口をいれる。切り込み口の上部一辺は布団または下がけ等に繋げたまま蓋のようにする。その蓋のような部分に適時取り外せるように、留め具を用いて、太股からおなかを十分覆える大きさの布団あるいは毛布を取り付ける。蓋のような部分に取り付けることで、体に密着させることができ、この口から足脚部を出し入れする事で下からの放熱をなくし、従来の布団より暖かく使用する事ができ、また汚れ易いこの部分は適時取り外し、簡単に洗濯ができる事で課題を解決できた。
【０００５】
また、垂れ下がる布団の各面にマジックテープ等の適時取り外せる留め具の片方を左右に二個それぞれ取り付け、そこに留め具のもう片方を両端に付けたゴム等の弾性体で、暖卓の脚を挟んで垂れ下がる隣合わせの二面を繋ぐ様に留める事で特別な縫製をしないで布団を固定し、切り込み部分の底部が弛まない様にすると共に切り込み口からの放熱を減小させ見た目もスッキリとし、留め具を外すと、十分に広がり寝ころんで使用できる事で上記課題を解決した。
【０００６】
【発明の実施の形態】
本発明の実施の形態を図面に基づいて説明する。図３は布団の展開図であり、１は従来のこたつ布団や毛布等を使用し、保温性や適度な重さを持ったものを使用する。図３の点線は切り込みを入れるところで、この切り込み口から、足脚部を出し入れする。３辺を切り込み上辺は本体の布団に繋がったままにし、切り込んだ布団４は蓋のような役目をして１の布団に繋がったままにする。その４の部分に３のスナップボタン等で、適時取り外しできる布団２をとりつける。これにより、切り込み口からの放熱を防ぐと共に太股や前腹部に密着する布団で、とても暖かく使用する事ができる。又、挿入口は暖卓の構造により２〜６個とし、いすが置ける数が適当と思える。足脚部の出し入れは、いすに座って行うと容易に出来る。
【０００７】
切り込みを入れる位置は、図２の１０（こたつの天板の枠組みにあたる部分）から下に１０ｃｍ〜１５ｃｍぐらいとし（ｔ）、切り込みの底部がイスの座面と同じぐらいの高さにする。幅はいすの幅位（ｓ）にする。切り口の周りは縁取りをして、布がほつれない様にする。図２で、蓋のようにした４の上部にスナップボタン等の留め具の片方を４〜５個付け、留め具のもう片方を付けた布団２を留める。２の布団の大きさは太股と前腹部が十分覆得る大きさで、適時取り外して洗濯が出来る様にする。
【０００８】
図３の９は、ボタンを止める穴で７のゴム等の弾性体の両端に２箇所付ける。８のボタンは暖卓の脚に接する異なる２面を繋げるように全部で８個つける。図１の様に、暖卓の脚をコーナーの中心として、隣合わせの布の二面につけた８のボタン２個を７のゴム等の弾性体でつなぎ、布が動かない様に固定し、固定する為の特別な縫製を省くと同時に、切り込みを入れた面が弛まない様にし、放熱を防ぎ見た目もスッキリとなる。又未使用の時は２が　蓋のように切り込み口を塞いで、熱が外に逃げるのを防ぎ、寝て使用するときは７のゴムを外す事で、十分な広がりが得られる。２の布団は４の部分に付けることで、本体の布に付けるよりずっと体に密着させることができる。
【０００９】
【発明の効果】
この発明の布団を使用することで、従来の布団を使うよりはるかに暖かくいす使用暖卓を使うことが出来る。外からの冷気も入らないので、ふくらはぎの部分も暖かく、放熱を防ぐので省エネにも役立つ。汚れ易い部分の洗濯が簡単に出来るので、清潔である。布団を留めることで、見た目もスッキリし布団を安定させ、特別な縫製の必要もなく製造できる。高齢化にともない、いすに座ったままでこたつにあたる生活は今後益々必要になると思える。又、高齢者等の膝に負担がかかるのを軽減することができるので便利になる。
【図面の簡単な説明】
【図１】布団の全体図
【図２】切り込み口と蓋に止めた布団の拡大図
【図３】布団の展開図
【符号の説明】
１…垂れ下がる布団の面
２…着脱出来る布団
３…着脱可能な留め具
４…切り込みを入れた布団の蓋状部分
５…縁取り部分
６…足脚部出入り口
７…ゴム等の弾性体
８…ボタン
９…ボタンの穴かがりした部分
１０…暖卓の木枠
【図１】
2004024567.tif 000003
【図２】
2004024567.tif 000004
【図３】
2004024567.tif 000005